(57)【要約】【課題】  ライブビュー撮影時における内蔵ストロボポップアップの振動により被写体ピントズレを防止することを可能にした撮像装置を提供すること。【解決手段】  ライブビュー中での内蔵ストロボのポップアップ機能と、ライブビュー中か否かを判定する判定手段と、ストロボポップアップ中か否かを判定する判定手段と、自動ストロボポップアップに設定されているか否かを判定する判定手段と、ＡＦの結果が成功したか否かを判定する判定手段とを備えたデジタルカメラにおいて、前記判定手段の結果によって、ストロボポップアップのタイミングを切り替えることを特徴とする構成とした。【選択図】  図１
2011071623.tif 000002
【特許請求の範囲】
【請求項１】
ライブビュー中での内蔵ストロボのポップアップ機能と、
ライブビュー中か否かを判定する判定手段（１０１）と、
ストロボポップアップ中か否かを判定する判定手段（１０１）と、
自動ストロボポップアップに設定されているか否かを判定する判定手段（１１９）と、
ＡＦの結果が成功したか否かを判定する判定手段（１１６）と
を備えたデジタルカメラにおいて、
前記判定手段（１０１，１１６，１１９）の結果によって、ストロボポップアップのタイミングを切り替える切替手段（１０１）とを具備する撮像装置。
【請求項２】
ライブビュー中での内蔵ストロボのポップアップ機能と、
ライブビュー中か否かを判定する判定手段（１０１）と、
ストロボポップアップ中か否かを判定する判定手段（１０１）と、
自動ストロボポップアップに設定されているか否かを判定する判定手段（１１９）と、
ＡＦの結果が成功したか否かを判定する判定手段（１１６）と
を備えたデジタルカメラにおいて、
前記判定手段（１０１，１１６，１１９）の結果によって、ストロボポップアップを禁止する切替手段（１０１）と
を具備する撮像装置。
【発明の詳細な説明】
【技術分野】
【０００１】
本発明の撮像装置は、電子ビューファインダー（以下ＥＶＦ）撮影における、ＡＦ合焦制御に関するものである。
【背景技術】
【０００２】
近年のコンパクトデジカメではライブビュー（液晶モニターに写そうとしている被写体の様子をリアルタイムに映し出せる機能）がほぼ基本機能として搭載されている。
【０００３】
撮影において内蔵ストロボを使用した場合、ＡＦ（オートフォーカス）制御を行い、内蔵ストロボをポップアップして、液晶モニターに被写体を表示し、レリーズスイッチを押下することにより液晶モニターに表示されている被写体の撮影が行われる。
【先行技術文献】
【特許文献】
【０００４】
【特許文献１】特開２０００−２３１０５３号公報
【発明の概要】
【発明が解決しようとする課題】
【０００５】
光学ファインダーで被写体を視認して撮影するファインダー撮影では、ＡＦ合焦後に内蔵ストロボのポップアップを行っても、しっかりとカメラを固定するためポップアップによる振動による影響が少ない。しかしながら、ライブビュー撮影の場合は、ユーザはカメラを自分の体から離した状態で保持するため、ファインダー撮影に比べ、ストロボポップアップの振動による影響が増大してしまう。そのため、その振動によりＡＦ合焦がずれてしまい、ピンぼけ画像となってしまう恐れがある。
【０００６】
そこで、本発明の目的は、内蔵ストロボポップアップの振動によりピントのズレを防止することを可能にした撮像装置を提供することである。
【課題を解決するための手段】
【０００７】
上記目的を達成するために、本発明は、ライブビュー中での内蔵ストロボのポップアップ機能と、ライブビュー中か否かを判定する判定手段と、ストロボポップアップ中か否かを判定する判定手段と、自動ストロボポップアップに設定されているか否かを判定する判定手段と、ＡＦの結果が成功したか否かを判定する判定手段とを備えたデジタルカメラにおいて、前記判定手段の結果によって、ストロボポップアップのタイミングを切り替えることを特徴とする。
【発明の効果】
【０００８】
本発明によれば、ライブビュー撮影時における内蔵ストロボポップアップの振動により被写体ピントズレを防止することを可能にした撮像装置を提供することができる。
【図面の簡単な説明】
【０００９】
【図１】上記撮像装置、実施例１の制御フローチャートである。
【図２】上記撮像装置、実施例２の制御フローチャートである。
【図３】上記撮像装置の構成例を示したブロック図である。
【発明を実施するための形態】
【００１０】
以下に、本発明の好ましい実施の形態を、添付の図面に基づいて詳細に説明する。図１、２は、本発明の実施形態にかかわる撮像装置のフローチャート、図３はブロック図である。
【実施例１】
【００１１】
１０１は撮影シーケンスなどシステムを制御するためのマイクロコントローラ、１０３は被写体からの反射光を電気信号に変換するＣＣＤやＣＭＯＤ等の撮像素子、１０２は撮像素子１０３を動作させるために必要なタイミング信号を発生するタイミング信号発生回路、１０４はアナログ画像データをデジタル画像データに変換するＡ／Ｄ変換器、１０５はメモリの読み書きやバッファメモリ１０６のリフレッシュ動作などを制御するためのメモリコントローラである。１０７はバッファメモリに蓄えられた画像データを表示する画像表示部、１０８は記録媒体との接続のためのインターフェース、１０９はメモリカードやハードディスクなどの記録媒体である。ＥＥＰＲＯＭ１１０はＭＰＵ１０１がカメラ動作を制御する際に使用する調整データ等を書き込んだり、その保存しているデータの読み出しを行う。
【００１２】
モーター制御回路１１１は、露出動作時にＭＰＵ１０１からの信号に従って不図示のモータを制御することにより、不図示のミラーのアップ・ダウンやシャッターのチャージを行わせる。また、内蔵ストロボのポップアップ駆動も行う。１０７のＥＶＦ（Ｅｌｅｃｔｒｉｃ  Ｖｉｅｗ  Ｆｉｎｄｅｒ）に画像を表示するときには、ミラーはアップ、シャッターは走行した状態で撮像素子に入光させ、その撮像素子の出力値によって撮影の露出調節のための絞り値の演算とシャッタースピードの演算を行い、ライブビュー制御を行っている。シャッター制御回路１１２は、ＭＰＵ１０１からの信号に従って、不図示のシャッター先幕、シャッター後幕の通電をカットし幕走行させ、露出動作を制御する。ＥＶＦ（Ｅｌｅｃｔｒｉｃ  Ｖｉｅｗ  Ｆｉｎｄｅｒ）表示時においてもシャッター先幕／後幕は走行させた状態となっている。測光回路１１３は、画面内の各エリアの輝度信号として、画面内を複数のエリアに分割した多分割測光センサ１１４からの出力をＭＰＵ１０１に出力する。ＭＰＵ１０１はこの輝度信号を１１８のＡ／Ｄ変換器により変換を行い、撮影の露出調節のための絞り値の演算とシャッタースピードの演算および露光時のストロボメイン発光量の演算を行う。レンズ制御回路１１５は、不図示のレンズマウント接点を介してＭＰＵ１０１と通信し、不図示のレンズ駆動モータ及びレンズ絞りモータを動作させ、レンズの焦点調節と絞りを制御している。１１６は焦点検出回路で、ＡＦ（オートフォーカス）のための被写体に対するデフォーカス量を検出する機能を有する。１１７はカメラの操作部材でＳＷ１は、不図示のレリーズボタンの第１ストロークでＯＮし、ＡＦおよび測光を開始させる。ＳＷ２は、レリーズボタンの第２ストロークでＯＮし、露光動作を開始させる。また、不図示のライブビュースイッチは、そのスイッチ押下でライブビュー撮影を開始させる。ライブビュー撮影の解除はライブビュースイッチの再押下で行う。不図示の内蔵ストロボポップアップスイッチを押すことにより、内蔵ストロボの受光部が露出し、内蔵ストロボ撮影を行うことができる。ＳＷ１，ＳＷ２及びその他不図示のカメラの操作部材からの信号は、スイッチセンス回路１１７が検知し、ＭＰＵ１０１に信号を送る。内蔵ストロボ充電・発光部１２０はストロボ制御回路と接続されており、不図示の昇圧回路によって充電されるメインコンデンサや、ストロボ制御回路１１９から発光信号に従って、ストロボ光を発光する不図示のストロボ発光回路を備えている。ストロボ充電検出部１２１は、内蔵ストロボにおいては内蔵ストロボ充電・発光部１２０のメインコンデンサの充電電圧を検出する。
【００１３】
以下、図１を参照して、本発明の第１実施例の動作について説明する。
【００１４】
ステップＳ２０１にてスイッチセンス回路１１７のＳＷ１の状態検知を行い、ＯＮの場合はステップＳ２０２へ、ＯＦＦの場合はシーケンス処理終了となる。ステップＳ２０２においてＭＰＵ１０１がライブビュー撮影状態と判定したなら、撮像素子１０３に蓄えられた電荷をタイミング信号発生回路１０２により出力開始し、全撮像素子の出力が終了した後、Ａ／Ｄ変換１０４でデジタル画像データを作成する。このデジタル画像データは画像表示部１０７で表示し、ステップＳ２０３へ移行する。ライブビュー撮影状態でない場合は、通常撮影であるステップＳ２１０へ移行する。ここでいう通常撮影とは、光学系測光回路１１３を用いて露出制御を行う撮影のことを言う。ステップＳ２０３ではＭＰＵ１０１がスイッチセンス回路１１７を介してストロボポップアップスイッチの状態検知を行い、ＯＮの場合はポップアップした状態で内蔵ストロボ撮影可能状態となりステップＳ２０６へ、ＯＦＦの場合はカメラ撮影モードであるストロボ自動ポップアップ設定か判定するために、ステップＳ２０４へ移行する。ステップＳ２０４では内蔵ストロボを使用するかどうかの判定を行う。撮像素子１０３の出力値により撮影の露出調節のための絞り値の演算とシャッタースピードの演算を１１９のストロボ制御回路で行う。適正露出に達していない場合はステップＳ２０５へ、適正露出が得られている場合はステップＳ２０６へ移行する。ステップＳ２０５において、モーター制御回路１１１により、不図示のモータ制御を行い、内蔵ストロボのポップアップを行う。ステップＳ２０６では、ＭＰＵ１０１は、焦点検出回路１１６を含む不図示の焦点検出ユニット内の焦点検出ラインセンサに結像された被写体象のずれから、公知の方法で焦点検出を行い、レンズ制御回路１１５を介して合焦位置までのレンズ駆動量を演算して、シリアル通信ラインを介して不図示のレンズに対して出力し、ステップＳ２０７へ移行する。ステップＳ２０７において上記焦点検出結果が合焦と判定された場合はステップＳ２０８へ、非合焦と判定された場合は、シーケンス処理終了となる。ステップＳ２０８では、ストロボ充電検出部１２１で発光に必要な充電電圧に達したら、ストロボ制御回路１２１を介してＭＰＵ１０１に充電検出されたことを通知する。発光の準備が整った後、ステップＳ２０９において露光制御を開始し、演算されたシャッター秒時露光を行った後、後幕走行を開始し、撮像素子１０３に蓄えられた電荷をタイミング信号発生回路１０２により出力開始し、全撮像素子の出力が終了した後、Ａ／Ｄ変換１０４でデジタル画像データを作成し、記録媒体１０９に画像データを記録し撮影動作が終了となる。ステップＳ２１０では、ＭＰＵ１０１は、焦点検出回路１１６を含む不図示の焦点検出ユニット内の焦点検出ラインセンサに結像された被写体象のずれから、公知の方法で焦点検出を行い、レンズ制御回路１１５を介して合焦位置までのレンズ駆動量を演算して、シリアル通信ラインを介して不図示のレンズに対して出力し、ステップＳ２１１へ移行する。ステップＳ２１１において上記焦点検出結果が合焦と判定された場合はステップＳ２１２へ、非合焦と判定された場合は、シーケンス処理終了となる。ステップＳ２１２では測光回路１１３を介し、多分割測光センサ１１４によって、現在の被写体輝度を出力し、この輝度信号をＡ／Ｄ変換１１８し、ＭＰＵ１０１にて撮影の露出調節のための演算を行い適正な露出を決定する。ステップＳ２１３ではＭＰＵ１０１がスイッチセンス回路１１７を介してストロボポップアップスイッチの状態検知を行い、ＯＮの場合はポップアップした状態で内蔵ストロボ撮影可能状態となりステップＳ２１６へ、ＯＦＦの場合はカメラ撮影モードであるストロボ自動ポップアップ設定か判定するために、ステップＳ２１４へ移行する。ステップＳ２１４では，撮像素子１０３の出力値により撮影の露出調節のための絞り値の演算とシャッタースピードの演算を１１９のストロボ制御回路で行う。適正露出に達していない場合はステップＳ２１５へ、適正露出が得られている場合はステップＳ２１６へ移行する。ステップＳ２１５において、モータ制御回路１１１により、不図示のモータ制御を行い、内蔵ストロボのポップアップを行う。ステップＳ２１６では、ストロボ充電検出部１２１で発光に必要な充電電圧に達したら、ストロボ制御回路１２１を介してＭＰＵ１０１に充電検出されたことを通知する。発光の準備が整った後、ステップＳ２１７ではＭＰＵはシャッター制御回路により先幕の通電をカットし、先幕走行の制御を開始する。演算されたシャッター秒時露光を行った後、後幕走行を開始し、撮像素子１０３に蓄えられた電荷をタイミング信号発生回路１０２により出力開始し、全撮像素子の出力が終了した後、Ａ／Ｄ変換１０４でデジタル画像データを作成し、記録媒体１０９に画像データを記録し、撮影動作が終了となる。
【００１５】
以上の制御方法により、ライブビュー撮影時における内蔵ストロボポップアップの振動による被写体ピントズレを防止することができる。
【実施例２】
【００１６】
以下、図２を参照して、本発明の第２実施例の動作について説明する。
【００１７】
ステップＳ３０１にてスイッチセンス回路１１７のＳＷ１の状態検知を行い、ＯＮの場合はステップＳ３０２へ、ＯＦＦの場合はシーケンス処理終了となる。ステップＳ３０２では、ＭＰＵ１０１は、焦点検出回路１１６を含む不図示の焦点検出ユニット内の焦点検出ラインセンサに結像された被写体象のずれから、公知の方法で焦点検出を行い、レンズ制御回路１１５を介して合焦位置までのレンズ駆動量を演算して、シリアル通信ラインを介して不図示のレンズに対して出力し、ステップＳ３０３へ移行する。ステップＳ３０３において上記焦点検出結果が合焦と判定された場合はステップＳ３０４へ、非合焦と判定された場合は、シーケンス処理終了となる。ステップＳ３０４では測光回路１１３を介し、多分割測光センサ１１４によって、現在の被写体輝度を出力し、この輝度信号をＡ／Ｄ変換１１８し、ＭＰＵ１０１にて撮影の露出調節のための演算を行い適正な露出を決定する。ステップＳ３０５ではＭＰＵ１０１がスイッチセンス回路１１７を介してストロボポップアップスイッチの状態検知を行い、ＯＮの場合はポップアップした状態で内蔵ストロボ撮影可能状態となりステップＳ３０９へ、ＯＦＦの場合はステップＳ３０６へ移行する。
【００１８】
ステップＳ３０６においてＭＰＵ１０１がライブビュー撮影状態と判定したなら、撮像素子１０３に蓄えられた電荷をタイミング信号発生回路１０２により出力開始し、全撮像素子の出力が終了した後、Ａ／Ｄ変換１０４でデジタル画像データを作成する。このデジタル画像データは画像表示部１０７で表示し、ステップＳ３１０へ移行する。ライブビュー撮影状態でない場合は、ステップＳ３０７へ移行する。ステップＳ３０７では内蔵ストロボを使用するかどうかの判定を行う。測光回路１１３で得られた出力値により撮影の露出調節のための絞り値の演算とシャッタースピードの演算を１１９のストロボ制御回路で行う。適正露出に達していない場合はステップＳ３０８へ、適正露出が得られている場合はステップＳ３１０へ移行する。ステップＳ３０８において、モーター制御回路１１１により、不図示のモータ制御を行い、内蔵ストロボのポップアップを行う。ステップＳ３０９では、ストロボ充電検出部１２１で発光に必要な充電電圧に達したら、ストロボ制御回路１２１を介してＭＰＵ１０１に充電検出されたことを通知する。発光の準備が整った後、ステップＳ３１０ではＭＰＵはシャッター制御回路により先幕の通電をカットし、先幕走行の制御を開始する。演算されたシャッター秒時露光を行った後、後幕走行を開始し、撮像素子１０３に蓄えられた電荷をタイミング信号発生回路１０２により出力開始し、全撮像素子の出力が終了した後、Ａ／Ｄ変換１０４でデジタル画像データを作成し、記録媒体１０９に画像データを記録し、撮影動作が終了となる。
【００１９】
以上の制御方法により、ライブビュー撮影時において内蔵ストロボポップアップを禁止することにより、ポップアップによる振動により被写体ピントズレを防止することができる。
【００２０】
以上、本発明の好ましい実施形態について説明したが、本発明はこれらの実施形態に限定されず、その要旨の範囲内で種々の変形及び変更が可能である。
【符号の説明】
【００２１】
１０１  ＭＰＵ
１０２  タイミング発生回路
１０３  撮像素子
１０４  Ａ／Ｄ変換器
１０５  メモリコントローラ
１０６  バッファメモリ
１０７  画像表示部
１０８  記録媒体Ｉ／Ｆ
１０９  記録媒体
１１０  ＥＥＰＲＯＭ
１１１  モーター制御回路
１１２  シャッター制御回路
１１３  測光回路
１１４  多分割測光センサ
１１５  レンズ制御回路
１１６  焦点検出回路
１１７  スイッチセンス回路
１１８  Ａ／Ｄ変換器
１１９  ストロボ制御回路
１２０  内蔵ストロボ充電・発光部
１２１  ストロボ充電検出部
【図１】
2011071623.tif 000003
【図２】
2011071623.tif 000004
【図３】
2011071623.tif 000005